(57)【要約】【課題】フェムト基地局等の多数の無線基地局を柔軟なタイミングで新規に収容可能にする。【解決手段】本発明に係る移動通信方法は、無線基地局ＮｏｄｅＢ０１が、無線制御局ＲＮＣ０１に対して、無線基地局ＮｏｄｅＢ０１の位置情報（位置コード：ｂｂｂ）を通知する工程Ａと、無線制御局ＲＮＣ０１が、無線基地局ＮｏｄｅＢ０１及び無線制御局ＲＮＣ０１を介する移動局ＵＥの通信が開始される際に、交換局ＭＳＣ/ＳＧＳＮに対して、無線基地局ＮｏｄｅＢ０１の位置情報（位置コード：ｂｂｂ）を通知する工程Ｂと、交換局ＭＳＣ/ＳＧＳＮが、無線基地局ＮｏｄｅＢ０１の位置情報（位置コード：ｂｂｂ）に基づいて、かかる通信の各々を制御する工程Ｃとを有する。【選択図】図７
2010157909.tif 000002
【特許請求の範囲】
【請求項１】
無線基地局が、無線制御局に対して、該無線基地局の位置情報を通知する工程Ａと、
前記無線制御局が、前記無線基地局及び該無線制御局を介する移動局の通信が開始される際に、交換局に対して、該無線基地局の位置情報を通知する工程Ｂと、
前記交換局が、前記無線基地局の位置情報に基づいて、前記通信の各々を制御する工程Ｃとを有することを特徴とする移動通信方法。
【請求項２】
前記工程Ａにおいて、前記無線基地局は、該無線基地局を介する前記移動局の通信が開始される際に、前記無線制御局に対して、該無線基地局の位置情報を通知することを特徴とする請求項１に記載の移動通信方法。
【請求項３】
前記無線基地局が、前記移動局の在圏無線基地局とは異なる場合に、前記工程Ａにおいて、該無線基地局を介する該移動局の通信が開始される際に、該在圏無線基地局を収容する無線制御局が、該無線基地局を収容する無線制御局に対して、該無線基地局の位置情報として、該在圏無線基地局の位置情報を通知することを特徴とする請求項２に記載の移動通信方法。
【請求項４】
前記位置情報は、位置登録エリアの構成、無線制御局の接続構成、無線基地局の接続構成及びセクタの構成を含む移動通信システムの構成に依存しない情報であることを特徴とする請求項１に記載の移動通信方法。
【請求項５】
前記交換局は、位置情報と接続先とを関連付けて記憶しており、
前記工程Ｃにおいて、前記交換局は、前記通信において、前記移動局を、前記無線基地局の位置情報に関連付けられた接続先に接続させることを特徴とする請求項１に記載の移動通信方法。
【請求項６】
無線基地局であって、
前記無線基地局の位置情報を取得するように構成されている取得部と、
前記無線基地局を介する移動局の通信が開始される際に、無線制御局に対して、該無線基地局の位置情報を通知するように構成されている通知部とを具備することを特徴とする無線基地局。
【請求項７】
前記位置情報は、位置登録エリアの構成、無線制御局の接続構成、無線基地局の接続構成及びセクタの構成を含む移動通信システムの構成に依存しない情報であることを特徴とする請求項６に記載の無線基地局。
【請求項８】
無線基地局を管理する無線制御局であって、
前記無線基地局から、該無線基地局を介する移動局の通信が開始される際に、該無線基地局の位置情報を取得するように構成されている取得部と、
前記無線基地局及び前記無線制御局を介する前記移動局の通信が開始される際に、交換局に対して、該無線基地局の位置情報を通知するように構成されている通知部とを具備することを特徴とする無線制御局。
【請求項９】
前記位置情報は、位置登録エリアの構成、無線制御局の接続構成、無線基地局の接続構成及びセクタの構成を含む移動通信システムの構成に依存しない情報であることを特徴とする請求項８に記載の無線制御局。
【請求項１０】
無線基地局を管理する無線制御局に接続されている交換局であって、
位置情報と接続先とを関連付けて記憶するように構成されている記憶部と、
前記無線制御局から、前記無線基地局と該無線制御局と前記交換局とを介する移動局の通信が開始される際に、該無線基地局の位置情報を取得するように構成されている取得部と、
前記通信において、前記移動局を、前記無線基地局の位置情報に関連付けられた接続先に接続させるように構成されている通信制御部とを具備することを特徴とする交換局。
【請求項１１】
前記位置情報は、位置登録エリアの構成、無線制御局の接続構成、無線基地局の接続構成及びセクタの構成を含む移動通信システムの構成に依存しない情報であることを特徴とする請求項１０に記載の交換局。
【発明の詳細な説明】
【技術分野】
【０００１】
本発明は、移動通信方法、無線基地局、無線制御局及び交換局に関する。
【背景技術】
【０００２】
近年、３ＧＰＰ（３ｒｄ  Ｇｅｎｅｒａｔｉｏｎ  Ｐａｒｔｎｅｒｓｈｉｐ  Ｐｒｏｊｅｃｔｓ）により、符号分割多元接続（ＣＤＭＡ：Ｃｏｄｅ  Ｄｉｖｉｓｉｏｎ  Ｍｕｌｔｉｐｌｅ  Ａｃｃｅｓｓ）技術に基づいた「Ｗ-ＣＤＭＡ（Ｗｉｄｅｂａｎｄ-Ｃｏｄｅ  Ｄｉｖｉｓｉｏｎ  Ｍｕｌｔｉｐｌｅ  Ａｃｃｅｓｓ）方式」或いは「ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）方式」と呼ばれる通信方式が適用されている移動通信システムが提案され、仕様化されている（非特許文献１参照）。
【０００３】
図８に、Ｗ-ＣＤＭＡ方式の移動通信システムの構成例を示す。図８に示すように、Ｗ-ＣＤＭＡ方式の移動通信システムでは、移動局ＵＥ（Ｕｓｅｒ  Ｅｑｕｉｐｍｅｎｔ）と、無線基地局ＮｏｄｅＢと、無線制御局ＲＮＣ（Ｒａｄｉｏ  Ｎｅｔｗｏｒｋ  Ｃｏｎｔｒｏｌｌｅｒ）と、交換局ＭＳＣ/ＳＧＳＮ（Ｍｏｂｉｌｅ  Ｓｗｉｔｃｈｉｎｇ  Ｃｅｎｔｅｒ/Ｓｅｒｖｉｎｇ  ＧＰＲＳ  Ｓｕｐｐｏｒｔ  Ｎｏｄｅ）とが含まれており、セルラ方式の移動通信システムが構成されている。
【０００４】
かかるＷ-ＣＤＭＡ方式の移動通信システムでは、無線基地局ＮｏｄｅＢによって送出される電波により「セル（Ｃｅｌｌ）」と呼ばれセルラ方式の制御単位となるエリアが形成される。なお、かかるエリアが、指向性アンテナによりセクタ化されている場合、かかるエリアを「セクタ」とも呼ぶ。
【０００５】
ここで、無線制御局ＲＮＣや交換局ＭＳＣ/ＳＧＳＮは、交換局の階層化によって複数存在して互いに接続されているのが普通であるが、簡略化のため、本明細書では１つののみ示す。
【０００６】
また、交換局ＭＳＣ/ＳＧＳＮとは別に、ホームメモリと呼ばれる加入者情報を記憶する装置や、アプリケーションサービスを提供するためのサーバ等を配備するのが普通であるが、同じく簡略化のため、本明細書では記載を省略して、ホームメモリ機能やサーバ機能を交換局ＭＳＣ/ＳＧＳＮに含めるものとする。
【０００７】
また、無線基地局ＮｏｄｅＢの種別として、屋外空間を広範にカバーするための比較的大容量な無線基地局とは別に、主に屋内等の狭小な空間をカバーするための超小型無線基地局（以後、フェムト無線基地局）の導入が検討されている。
【０００８】
ここでは、屋外無線基地局によって形成されているセルを「マクロセル」と呼び、一方、フェムト無線基地局によって形成されているセルを「フェムトセル」と呼ぶ。
【０００９】
これらのフェムト無線基地局は、無線制御局ＲＮＣとの接続用にＩＰインタフェースを備える構成が普通であり、無線制御局ＲＮＣとの接続用回線として、家庭向けのブロードバンド回線を適用することも技術的には可能である。
【００１０】
また、一般的に、フェムト無線基地局は、小型及び安価であるが、設置状況に応じた無線パラメータ自動調整に対応する構成を具備している。そのため、一般ユーザが、フェムト無線基地局を、既設のブロードバンド回線に接続して手軽に自由設置するような運用形態が可能である。
【００１１】
Ｗ-ＣＤＭＡ方式の移動通信システムの設計において、移動通信システムに特有の制御として、通信中の移動局ＵＥの地点に応じた制御を行う機能（すなわち、通信地点依存制御機能）を実装する必要性が生じることがある。
【００１２】
例えば、緊急通報時に、移動局ＵＥを、通信中のエリアから最寄りの緊急機関に接続したり、移動局ＵＥに対して、当該移動局ＵＥが存在する位置付近の飲食店情報や天気情報等を配信したりする制御である。
【００１３】
こうした通信地点依存制御機能の実装方式として、Ｗ-ＣＤＭＡ方式の標準仕様の「ＳＡＩ（Ｓｅｒｖｉｃｅ  Ａｒｅａ  Ｉｄｅｎｔｉｆｉｅｒ）」を用いる方式と、「Ｇｅｏｇｒａｐｈｉｃａｌ  Ａｒｅａ（以下、ＧＡＩ）」を用いる方式とがある。
【００１４】
「ＳＡＩ」は、３ＧＰＰ標準仕様上の情報要素であり、「ＰＬＭＮ-ＩＤ（Ｐｕｂｌｉｃ  Ｌａｎｄ  Ｍｏｂｉｌｅ  Ｎｅｔｗｏｒｋ  Ｉｄｅｎｔｉｆｉｅｒ）と「ＬＡＣ（Ｌｏｃａｔｉｏｎ  Ａｒｅａ  Ｃｏｄｅ）」と「ＳＡＣ（Ｓｅｒｖｉｃｅ  Ａｒｅａ  Ｃｏｄｅ）」との組み合わせで構成されている。
【００１５】
「ＰＬＭＮ-ＩＤ」は、移動通信サービスを提供する事業者を一意に特定するための識別子であり、「ＬＡＣ」は、当該事業者の移動通信システムにおける位置登録エリアを一意に特定するための識別子であり、「ＳＡＣ」は、当該位置登録エリア内で細分エリアを特定するための識別子である。
【００１６】
３ＧＰＰ標準仕様上は、「ＳＡＣ」の構成について任意であるが、「ＬＡＣ」内で一意な無線制御局番号や、無線制御局内で一意な無線基地局番号や、無線基地局内で一意なセル番号（指向性アンテナによりセクタ化されていればセクタ番号）等を埋め込む実装をすることがある。
【００１７】
一方、「ＧＡＩ」は、同じく３ＧＰＰ標準仕様上の情報要素であるが、緯度経度情報を含む情報であり、移動通信システムの構成に依存しない絶対的な地理情報である。
【００１８】
図９に示す例では、無線制御局ＲＮＣ０１が保持する局構成テーブルには、「ＰＬＭＮ-ＩＤ＋ＬＡＣ」として「ＡＡ」が書き込まれており、「ＲＮＣ番号」として「０１」が書き込まれており、「ＲＮＣ番号＝０１」によって特定される無線制御局ＲＮＣ０１配下に「ＮｏｄｅＢ番号」として「０１」及び「０２」が書き込まれており、「ＮｏｄｅＢ番号＝０１」及び「ＮｏｄｅＢ番号＝０２」の各々によって特定される無線基地局ＮｏｄｅＢ０１及びＮｏｄｅＢ０２配下に「セクタ番号」として「０１」及び「０２」が書き込まれている。
【００１９】
各セルの「ＳＡＩ」は、順に、「ＡＡ０１０１０１」、「ＡＡ０１０１０２」、「ＡＡ０１０２０１」、「ＡＡ０１０２０２」となる。
【００２０】
また、各セルの緯度経度情報が「ＧＡＩ」として書き込まれている。
【００２１】
一方、交換局ＭＳＣ/ＳＧＳＮは、かかる「ＳＡＩ」に対応付けて緊急機関のアドレス情報（例えば、電話番号）を保持する。例えば、「ＳＡＩ」が「ＡＡ０１０１０１」であるセルの近傍に、それぞれアドレス情報が「ＸＸＸ１」及び「ＹＹＹ１」である緊急機関１及び緊急機関２が存在すれば、交換局ＭＳＣ/ＳＧＳＮは、接続先テーブルにおいて、かかる「ＳＡＩ＝ＡＡ０１０１０１」と、緊急機関１及び緊急機関２とを関連付けて記憶する。
【００２２】
「ＳＡＩ」や「ＧＡＩ」は、無線制御局ＲＮＣと交換局ＭＳＣ/ＳＧＳＮとの間のアプリケーション・レイヤにおけるシグナリング・プロトコルである「ＲＡＮＡＰ（Ｒａｄｉｏ  Ａｃｃｅｓｓ  Ｎｅｔｗｏｒｋ  Ａｐｐｌｉｃａｔｉｏｎ  Ｐａｒｔ）」によって、無線制御局ＲＮＣから交換局ＭＳＣ/ＳＧＳＮに通知される。
【００２３】
交換局ＭＳＣ/ＳＧＳＮは、接続先テーブルにおいて、緊急機関のアドレス情報と「ＳＡＩ」との対応付けを保持しており、「ＳＡＩ」によって特定されるセルから緊急通報用通信に関する通信開始要求を受信した場合には、事前に無線制御局ＲＮＣより通知されている「ＳＡＩ」から緊急機関のアドレス情報を導いて、当該通信開始要求を、かかる緊急機関のアドレス情報宛てに転送する。
【００２４】
また、かかる移動通信システムでは、移動局ＵＥに対して、「ＧＡＩ」に含まれる緯度経度情報を通知して、当該移動局ＵＥのアプリケーションに、当該「ＧＡＩ」によって特定される地点の最寄りの飲食店情報や天気情報を画面表示させるというサービスや、緊急通報を行っている移動局ＵＥの位置を特定するために、「ＧＡＩ」に含まれる緯度経度情報を緊急機関に対して提供するというサービスを提供することができる。
【００２５】
図１０に、従来の移動通信システムの動作を示す。
【００２６】
図１０に示すように、ステップＳ３００１において、移動局ＵＥは、無線制御局ＲＮＣ０１に対して、緊急機関１宛ての緊急通報用通信を行うための接続要求を送信する。
【００２７】
ステップＳ３００２において、無線制御局ＲＮＣ０１は、無線基地局ＮｏｄｅＢ０１に対して、無線リンク設定要求を送信し、ステップＳ３００３において、無線基地局ＮｏｄｅＢ０１が、無線制御局ＲＮＣ０１に対して、無線リンク設定応答を送信し、ステップＳ３００４において、移動局ＵＥと無線制御局ＲＮＣ０１との間で無線回線設定手順が行われる。
【００２８】
ステップＳ３００５において、移動局ＵＥは、ステップＳ３００４において設定された無線回線を介して、無線制御局ＲＮＣ０１に対して、緊急機関１宛ての緊急通報用通信を行うためのサービス要求を送信する。
【００２９】
ステップＳ３００６において、無線制御局ＲＮＣ０１は、局構成テーブルを参照して、移動局ＵＥが通信中であるセルの「ＳＡＩ」を抽出し、かかる「ＳＡＩ」を含むサービス要求を交換局ＭＳＣ/ＳＧＳＮに送信し、交換局ＭＳＣ/ＳＧＳＮは、かかる「ＳＡＩ」を記憶する。
【００３０】
ステップＳ３００７において、移動局ＵＥと交換局ＭＳＣ/ＳＧＳＮとの間で秘匿・認証手順が行われた後、ステップＳ３００８において、移動局ＵＥは、交換局ＭＳＣ/ＳＧＳＮに対して、緊急機関１宛ての緊急通報用通信を行うためのセットアップ信号、すなわち、緊急機関１宛ての緊急通報用通信を行うことを意味する「ＸＸＸ」を含むセットアップ信号を送信する。
【００３１】
ステップＳ３００９において、交換局ＭＳＣ/ＳＧＳＮは、受信したセットアップ信号に含まれる「ＸＸＸ」を認識すると、ステップＳ３００６において記憶していた「ＳＡＩ」をキー情報として接続先テーブルを検索し、緊急機関１のアドレス情報「ＸＸＸ１」を取得し、かかる緊急機関１のアドレス情報「ＸＸＸ１」宛てに当該セットアップ信号を転送する。
【００３２】
ステップＳ３０１０において、移動局ＵＥと緊急機関１との間で、呼び出し・応答手順を経て通信（緊急通報用通信）が開始された後、ステップＳ３０１１において、緊急機関１が、交換局ＭＳＣ/ＳＧＳＮを介して、無線制御局ＲＮＣに対して、上述の「ＳＡＩ」を含む位置情報要求を送信し、ステップＳ３０１２において、無線制御局ＲＮＣは、かかる「ＳＡＩ」をキー情報として、局構成テーブルを検索して抽出した「ＧＡＩ」を、交換局ＭＳＣ/ＳＧＳＮを介して、緊急機関１に対して返送する。
【００３３】
なお、上述の局構成テーブルや接続先テーブルは、それぞれ無線制御局ＲＮＣや交換局ＭＳＣ/ＳＧＳＮのシステムデータの一部として静的にメモリやディスクに保持されている。
【００３４】
これらのシステムデータは、運用状況の変更に対応するため、保守者によって、例えば、一週間といった一定期間ごとに、専用ツールを用いてファイルとして作成され、無線制御局ＲＮＣや交換局ＭＳＣ/ＳＧＳＮに投入されてメモリやディスクに展開されるという形態を採ることが普通である。
【００３５】
また、「ＳＡＩ」を構成する「ＰＬＭＮ-ＩＤ」や「ＬＡＣ」や「ＬＡＣ」内の無線制御局番号や無線基地局番号やセクタ番号のうち、「ＰＬＭＮ-ＩＤ」は、通常変更されることはないが、「ＬＡＣ」や無線制御局番号や無線基地局番号やセクタ番号は、位置登録エリアの変更や、無線制御局ＲＮＣや無線基地局ＮｏｄｅＢの新設や収容変更により、運用中に変更されることがある。
【００３６】
かかる場合、上述の手順にて無線制御局ＲＮＣの局構成テーブル及び交換局ＭＳＣ/ＳＧＳＮの接続先テーブルを同期して変更する必要がある。
【非特許文献１】３ＧＰＰ  ＴＳ２１.１０１
【発明の開示】
【発明が解決しようとする課題】
【００３７】
しかしながら、フェムト無線基地局は、小容量であるため、多数、新規収容されることが想定されており、かつ、ユーザの自由設置に対応するため、柔軟なタイミングで新規収容されることが求められているが、無線制御局ＲＮＣや交換局ＭＳＣ/ＳＧＳＮにおけるシステムデータの更新が煩雑で作業量が膨大になるため、難しいという問題点があった。
【００３８】
また、位置登録エリアの変更や、無線制御局ＲＮＣや無線基地局ＮｏｄｅＢの新設や収容変更は、事業者が移動通信システムを運用する上で、日常的に実施されるものであるが、従来技術においては、その度に交換局ＭＳＣ/ＳＧＳＮにおいて保持されている緊急機関のアドレス情報と「ＳＡＩ」との対応テーブルを同期して更新する必要があり、運用が煩雑であったり、運用ミスにより更新漏れや誤りがあると、緊急通報用通信の不通や誤接続等の重大な支障をきたしたりするという問題点があった。
【００３９】
そこで、本発明は、上述の課題に鑑みてなされたものであり、フェムト基地局等の多数の無線基地局を柔軟なタイミングで新規に収容可能にすること、及び、位置登録エリアの変更や、無線制御局や無線基地局の新設や収容変更に伴う運用の煩雑性を回避すると共に、運用ミスによる緊急通報用通信の不通等の重大事故回避を可能にする移動通信方法、無線基地局、無線制御局及び交換局を提供することを目的とする。
【課題を解決するための手段】
【００４０】
本発明の第１の特徴は、無線基地局が、無線制御局に対して、該無線基地局の位置情報を通知する工程Ａと、前記無線制御局が、前記無線基地局及び該無線制御局を介する移動局の通信が開始される際に、交換局に対して、該無線基地局の位置情報を通知する工程Ｂと、前記交換局が、前記無線基地局の位置情報に基づいて、前記通信の各々を制御する工程Ｃとを有することを要旨とする。
【００４１】
本発明の第２の特徴は、無線基地局であって、前記無線基地局の位置情報を取得するように構成されている取得部と、前記無線基地局を介する移動局の通信が開始される際に、無線制御局に対して、該無線基地局の位置情報を通知するように構成されている通知部とを具備することを要旨とする。
【００４２】
本発明の第３の特徴は、無線基地局を管理する無線制御局であって、前記無線基地局から、該無線基地局を介する移動局の通信が開始される際に、該無線基地局の位置情報を取得するように構成されている取得部と、前記無線基地局及び前記無線制御局を介する前記移動局の通信が開始される際に、交換局に対して、該無線基地局の位置情報を通知するように構成されている通知部とを具備することを要旨とする。
【００４３】
本発明の第４の特徴は、無線基地局を管理する無線制御局に接続されている交換局であって、位置情報と接続先とを関連付けて記憶するように構成されている記憶部と、前記無線制御局から、前記無線基地局と該無線制御局と前記交換局とを介する移動局の通信が開始される際に、該無線基地局の位置情報を取得するように構成されている取得部と、前記通信において、前記移動局を、前記無線基地局の位置情報に関連付けられた接続先に接続させるように構成されている通信制御部とを具備することを要旨とする。
【発明の効果】
【００４４】
以上説明したように、本発明によれば、フェムト基地局等の多数の無線基地局を柔軟なタイミングで新規に収容可能にすること、及び、位置登録エリアの変更や、無線制御局や無線基地局の新設や収容変更に伴う運用の煩雑性を回避すると共に、運用ミスによる緊急通報用通信の不通等の重大事故回避を可能にする移動通信方法、無線基地局、無線制御局及び交換局を提供することができる。
【発明を実施するための最良の形態】
【００４５】
（本発明の第１の実施形態に係る移動通信システムの構成）
図１乃至図５を参照して、本発明の第１の実施形態に係る移動通信システムの構成について説明する。
【００４６】
図１に示すように、本実施形態に係る移動通信システムは、図８に示す移動通信システムの構成に、無線基地局ＮｏｄｅＢ０１及びＮｏｄｅＢ０２に接続されている配信サーバ１が追加されている。
【００４７】
なお、図８に示す例と同様に、交換局ＭＳＣ/ＳＧＳＮは、複数存在して互いに接続されているのが普通であるが、簡略化のため、本明細書では、１つのみ示す。
【００４８】
また、交換局とは別に、ホームメモリと呼ばれる加入者情報を記憶する装置や、アプリケーションサービスを提供するためのサーバ等を配備するのが普通であるが、同じく簡略化のため、本明細書では、省略してホームメモリ機能やサーバ機能は、交換局ＭＳＣ/ＳＧＳＮに含まれるものとする。
【００４９】
図３に示すように、無線基地局ＮｏｄｅＢ０１は、メモリ１１と、位置コード・ＧＡＩ制御部１２と、信号送受信部１３と、無線部１４とを具備している。
【００５０】
信号送受信部１３は、無線制御局ＲＮＣ０１や配信サーバ１との間で、信号の送受信を行うように構成されている。
【００５１】
例えば、信号送受信部１３は、配信サーバ１から、無線基地局ＮｏｄｅＢ０１の位置情報（例えば、位置コードや「ＧＡＩ」）を取得するように構成されている。
【００５２】
ここで、信号送受信部１３は、ブロードバンド回線に接続されたことを検出した場合等の所定契機で、無線基地局ＮｏｄｅＢ０１の位置情報（例えば、位置コードや「ＧＡＩ」）を取得するように構成されている。
【００５３】
なお、信号送受信部１３は、配信サーバ１に対して配信要求を送信することによって、かかる無線基地局ＮｏｄｅＢ０１の位置情報（例えば、位置コードや「ＧＡＩ」）を取得するように構成されていてもよい。
【００５４】
また、無線基地局ＮｏｄｅＢ０１の位置情報（例えば、位置コードや「ＧＡＩ」）は、このように配信サーバ１から取得されてもよいし、無線基地局ＮｏｄｅＢ０１内のメモリやディスクや外部メモリ等から取得されてもよい。
【００５５】
また、信号送受信部１３は、無線基地局ＮｏｄｅＢを介する移動局ＵＥの通信が開始される際に、例えば、無線リンク設定応答によって、無線制御局ＲＮＣ０１に対して、無線基地局ＮｏｄｅＢ０１の位置情報（位置コード）を通知するように構成されている。
【００５６】
無線部１４は、移動局ＵＥとの間で、無線信号のやり取りを行うように構成されている。
【００５７】
メモリ１１には、位置コード・ＧＡＩ記憶領域１１Ａが確保されている。図２及び図３に示すように、位置コード・ＧＡＩ記憶領域１１Ａには、無線基地局ＮｏｄｅＢ０１の位置情報（位置コード）と「ＧＡＩ」とが関連付けて記憶されている。
【００５８】
ここで、位置コードは、位置登録エリア（ＬＡＣ）の構成、無線制御局ＲＮＣの接続構成、無線基地局ＮｏｄｅＢの接続構成及びセクタの構成を含む移動通信システムの構成に依存しない全国でユニークな識別情報である。
【００５９】
なお、位置コード・ＧＡＩ記憶領域１１Ａの記憶内容は、各通信が終了した場合に消去され、各通信が行われている際に移動局ＵＥがセルを移動した場合に更新されるように構成されている。
【００６０】
位置コード・ＧＡＩ制御部１２は、信号送受信部１３と連携して、位置コード・ＧＡＩ記憶領域１１Ａに対する情報の書き込みや、位置コード・ＧＡＩ記憶領域１１Ａからの情報の読み出しを行うように構成されている。
【００６１】
図４に示すように、無線制御局ＲＮＣ０１は、メモリ２１と、位置コード・ＧＡＩ制御部２２と、無線制御部２３と、信号送受信部２４とを具備している。
【００６２】
信号送受信部２４は、無線基地局ＮｏｄｅＢ０１や交換局ＭＳＣ/ＳＧＳＮとの間で、信号の送受信を行うように構成されている。
【００６３】
例えば、信号送受信部２４は、無線基地局ＮｏｄｅＢ０１から、無線基地局ＮｏｄｅＢ０１を介する移動局ＵＥの通信が開始される際に、無線基地局ＮｏｄｅＢ０１の位置情報（位置コード）を取得するように構成されている。
【００６４】
また、信号送受信部２４は、無線基地局ＮｏｄｅＢ０１及び無線制御局ＲＮＣ０１を介する移動局ＵＥの通信が開始される際に、例えば、サービス要求によって、交換局ＭＳＣ/ＳＧＳＮに対して、無線基地局ＮｏｄｅＢ０１の位置情報（位置コード）を通知するように構成されている。
【００６５】
無線制御部２３は、移動局ＵＥとの間で、ＲＲＣメッセージの送受信を行うように構成されている。
【００６６】
メモリ２１には、位置コード・ＧＡＩ記憶領域２１Ａが確保されている。図２及び図４に示すように、位置コード・ＧＡＩ記憶領域２１Ａには、無線基地局ＮｏｄｅＢ０１及び無線制御局ＲＮＣ０１を介する移動局ＵＥの通信ごとに、「位置コード（無線基地局ＮｏｄｅＢ０１の位置情報）」と「ＧＡＩ」とが関連付けて記憶されている。
【００６７】
なお、位置コード・ＧＡＩ記憶領域２１Ａの記憶内容は、各通信が終了した場合に消去され、各通信が行われている際に移動局ＵＥがセルを移動した場合に更新されるように構成されている。
【００６８】
位置コード・ＧＡＩ制御部２２は、信号送受信部２４と連携して、位置コード・ＧＡＩ記憶領域２１Ａに対する情報の書き込みや、位置コード・ＧＡＩ記憶領域２１Ａからの情報の読み出しを行うように構成されている。
【００６９】
図５に示すように、交換局ＭＳＣ/ＳＧＳＮは、メモリ３１と、位置コード制御部３２と、交換部３３と、信号送受信部３４とを具備している。
【００７０】
メモリ３１には、接続先テーブル記憶領域３１Ａ及び位置コード記憶領域３１Ｂが確保されている。
【００７１】
図２及び図５に示すように、接続先テーブル記憶領域３１Ａには、「位置コード（位置情報）」と「緊急機関（接続先）」とを関連付ける接続先テーブルが記憶されている。
【００７２】
ここで、接続先テーブルの検索用キー情報は、従来技術のような「ＳＡＩ」ではなく「位置コード」となっている。
【００７３】
また、図２及び図５に示すように、位置コード記憶領域３１Ｂには、無線基地局ＮｏｄｅＢ０１と無線制御局ＲＮＣ０１と交換局ＭＳＣ/ＳＧＳＮとを介する移動局ＵＥの通信ごとに、「位置コード（無線基地局ＮｏｄｅＢ０１の位置情報）」とが関連付けて記憶されている。
【００７４】
なお、接続先テーブル記憶領域３１Ａ及び位置コード記憶領域３１Ｂの記憶内容は、各通信が終了した場合に消去され、各通信が行われている際に移動局ＵＥがセルを移動した場合に更新されるように構成されている。
【００７５】
信号送受信部３４は、無線基地局ＮｏｄｅＢ０１や無線制御局ＲＮＣ０１との間で、信号の送受信を行うように構成されている。
【００７６】
例えば、信号送受信部３４は、無線制御局ＲＮＣ０１から、無線基地局ＮｏｄｅＢ０１と無線制御局ＲＮＣ０１と交換局ＭＳＣ/ＳＧＳＮとを介する移動局ＵＥの通信が開始される際に、無線基地局ＮｏｄｅＢ０１の位置情報（位置コード）を取得するように構成されている。
【００７７】
交換部３３は、無線基地局ＮｏｄｅＢ０１と無線制御局ＲＮＣ０１と交換局ＭＳＣ/ＳＧＳＮとを介する移動局ＵＥの通信が行われる際に、当該移動局を、所定の宛先装置に接続させるように構成されている。
【００７８】
例えば、交換部３３は、かかる通信において、移動局ＵＥを、無線基地局ＮｏｄｅＢ０１の位置情報（位置コード：ｂｂｂ）に関連付けられた接続先（例えば、緊急機関）に接続させるように構成されている。
【００７９】
位置コード制御部３２は、信号送受信部３４と連携して、接続先テーブル記憶領域３１Ａ及び位置コード記憶領域３１Ｂに対する情報の書き込みや、接続先テーブル記憶領域３１Ａ及び位置コード記憶領域３１Ｂからの情報の読み出しを行うように構成されている。
【００８０】
（本発明の第１の実施形態に係る移動通信システムの動作）
図６及び図７を参照して、本発明の第１の実施形態に係る移動通信システムの動作について説明する。
【００８１】
第１に、図６を参照して、本実施形態に係る移動通信システムにおいて、無線基地局ＮｏｄｅＢ０１が、無線基地局ＮｏｄｅＢ０１の位置情報（位置コード及び「ＧＡＩ」）を取得する動作について説明する。
【００８２】
図６に示すように、ステップＳ１００１において、無線基地局ＮｏｄｅＢ０１は、ブロードバンド回線に接続されたことを検出した場合等に、配信サーバ１に対して配信要求を送信する。
【００８３】
ステップＳ１００２において、配信サーバ１は、かかる配信要求に応じて、無線基地局ＮｏｄｅＢ０１に対して、無線基地局ＮｏｄｅＢ０１の位置情報（例えば、位置コードや「ＧＡＩ」）を配信する。
【００８４】
第２に、図７を参照して、本実施形態に係る移動通信システムにおいて、無線基地局ＮｏｄｅＢ０１が、緊急機関１との間で緊急通報用通信を開始する動作について説明する。
【００８５】
図７に示すように、ステップＳ２００１において、移動局ＵＥは、無線制御局ＲＮＣ０１に対して、緊急機関１宛ての緊急通報用通信を行うための接続要求を送信する。
【００８６】
ステップＳ２００２において、無線制御局ＲＮＣ０１は、無線基地局ＮｏｄｅＢ０１に対して、無線リンク設定要求を送信する。
【００８７】
ステップＳ２００３において、無線基地局ＮｏｄｅＢ０１が、無線制御局ＲＮＣ０１に対して、無線リンク設定応答を送信する。
【００８８】
ここで、無線基地局ＮｏｄｅＢ０１は、かかる無線リンク設定応答によって、かかる緊急通報用通信に係る「位置コード（すなわち、無線基地局ＮｏｄｅＢ０１の位置コード）」及び「ＧＡＩ（すなわち、無線基地局ＮｏｄｅＢ０１のＧＡＩ）」を、無線制御局ＲＮＣ０１に対して通知し、無線制御局ＲＮＣ０１は、かかる「位置コード」及び「ＧＡＩ」を、かかる緊急機関１宛ての緊急通報用通信に関連付けて記憶する。
【００８９】
その後、ステップＳ２００４において、移動局ＵＥと無線制御局ＲＮＣ０１との間で無線回線設定手順が行われる。
【００９０】
ステップＳ２００５において、移動局ＵＥは、ステップＳ２００４において設定された無線回線を介して、無線制御局ＲＮＣ０１に対して、緊急機関１宛ての緊急通報用通信を行うためのサービス要求を送信する。
【００９１】
ステップＳ２００６において、無線制御局ＲＮＣ０１は、位置コード・ＧＡＩ記憶領域２１Ａを参照して、かかる緊急機関１宛ての緊急通報用通信に関連付けられている「位置コード」を抽出し、かかる「位置コード」を含むサービス要求を交換局ＭＳＣ/ＳＧＳＮに送信する。
【００９２】
ここで、交換局ＭＳＣ/ＳＧＳＮは、かかる緊急機関１宛ての緊急通報用通信と「位置コード」とを関連付けて、位置コード記憶領域３１Ｂに記憶する。
【００９３】
ステップＳ２００７において、移動局ＵＥと交換局ＭＳＣ/ＳＧＳＮとの間で秘匿・認証手順が行われた後、ステップＳ２００８において、移動局ＵＥは、交換局ＭＳＣ/ＳＧＳＮに対して、緊急機関１宛ての緊急通報用通信を行うためのセットアップ信号、すなわち、緊急機関１宛ての緊急通報用通信を行うことを意味する「ＸＸＸ」を含むセットアップ信号を送信する。
【００９４】
ステップＳ２００９において、交換局ＭＳＣ/ＳＧＳＮは、受信したセットアップ信号に含まれる「ＸＸＸ」を認識すると、位置コード記憶領域３１Ｂを参照して、かかる緊急機関１宛ての緊急通報用通信に関連付けられている「位置コード」抽出し、抽出した「位置コード」をキー情報として接続先テーブルを検索し、緊急機関１のアドレス情報「ＸＸＸ１」を取得し、かかる緊急機関１のアドレス情報「ＸＸＸ１」宛てに当該セットアップ信号を転送する。
【００９５】
ステップＳ２０１０において、移動局ＵＥと緊急機関１との間で、呼び出し・応答手順を経て通信（緊急通報用通信）が開始された後、ステップＳ２０１１において、緊急機関１が、交換局ＭＳＣ/ＳＧＳＮを介して、無線制御局ＲＮＣに対して、上述の「位置コード」又は「通信ＩＤ（緊急機関１宛ての緊急通報用通信を特定するための識別情報）」を含む位置情報要求を送信し、ステップＳ２０１２において、無線制御局ＲＮＣは、かかる「位置コード」又は「通信ＩＤ」をキー情報として抽出した「ＧＡＩ」を、交換局ＭＳＣ/ＳＧＳＮを介して、緊急機関１に対して返送する。
【００９６】
なお、上述の実施形態では、無線基地局ＮｏｄｅＢ０１は、無線制御局ＲＮＣ０１に対して、個別信号によって位置コードや「ＧＡＩ」を通知してもよいし、個別信号によって位置コードや「ＧＡＩ」を通知してもよい。
【００９７】
また、上述の実施形態では、Ｗ-ＣＤＭＡ方式の移動通信システムの場合について説明したが、本発明は、ＬＴＥ（Ｌｏｎｇ  Ｔｅｒｍ  Ｅｖｏｌｕｔｉｏｎ）方式の移動通信システムに対しても適用可能である。かかる場合、無線基地局ＮｏｄｅＢの機能及び無線制御局ＲＮＣの機能は、「ｅＮＢ」と呼ばれる無線基地局に搭載されることになる。
【００９８】
また、本発明に係る無線制御局は、上述の無線制御局ＲＮＣの機能から一部の機能を排除してフェムト無線基地局を集線収容するゲートウェイ機能を備えた装置であってもよい。
【００９９】
さらに、上述の実施形態において、ハンドオーバによって呼制御（Ｓｅｒｖｉｎｇ/Ａｎｃｈｏｒ）と在圏（Ｄｒｉｆｔ）とに、無線制御局ＲＮＣや無線基地局ＮｏｄｅＢが分離される「加入者線延長（Ａｎｃｈｏｒｉｎｇ）」と呼ばれる構成が採られていてもよい。
【０１００】
かかる場合、呼制御無線基地局ＮｏｄｅＢ０１（Ｓｅｒｖｉｎｇ/Ａｎｃｈｏｒ）が、移動局ＵＥの在圏無線基地局（Ｄｒｉｆｔ）とは異なる場合に、呼制御無線基地局ＮｏｄｅＢ０１（Ｓｅｒｖｉｎｇ/Ａｎｃｈｏｒ）を介する移動局ＵＥの通信が開始される際に、かかる在圏無線基地局（Ｄｒｉｆｔ）を収容する無線制御局が、呼制御無線基地局ＮｏｄｅＢ０１（Ｓｅｒｖｉｎｇ/Ａｎｃｈｏｒ）を収容する無線制御局ＲＮＣ０１に対して、「ＲＮＳＡＰ（Ｒａｄｉｏ  Ｎｅｔｗｏｒｋ  Ｓｕｂｓｙｓｔｅｍ  Ａｐｐｌｉｃａｔｉｏｎ  Ｐａｒｔ）」等のシグナリングプロトコルによって、かかる無線基地局ＮｏｄｅＢ０１（Ｓｅｒｖｉｎｇ/Ａｎｃｈｏｒ）の位置情報（位置コード）として、かかる在圏無線基地局（Ｄｒｉｆｔ）の位置情報（位置コード）を通知してもよい。
【０１０１】
（本発明の第１の実施形態に係る移動通信システムの作用・効果）
本発明の第１の実施形態に係る移動通信システムによれば、無線制御局ＲＮＣ０１や交換局ＭＳＣ/ＳＧＳＮが、無線基地局ＮｏｄｅＢ０１の位置情報をシステムデータとして保持せず、通信が行われる度に、無線基地局ＮｏｄｅＢ０１より取得して動的に管理することで、無線基地局ＮｏｄｅＢ０１を新規に収容するに際して、無線制御局ＲＮＣ０１や交換局ＭＳＣ/ＳＧＳＮのシステムデータの更新を実施する必要性がなくなり、フェムト基地局等の多数の無線基地局を柔軟なタイミングで新規に収容することができる。
【０１０２】
また、本発明の第１の実施形態に係る移動通信システムによれば、無線基地局ＮｏｄｅＢ０１から無線制御局ＲＮＣ０１に対して、共通信号を用いて無線基地局ＮｏｄｅＢ０１の位置情報（位置コード）を通知したり、無線制御局ＲＮＣ０１が、共通情報として無線基地局ＮｏｄｅＢ０１の位置情報（位置コード）保持したりすることが不要になり、信号の送受信に伴う回線帯域や処理負荷及び情報保持に伴うメモリ消費を回避可能になる。
【０１０３】
また、本発明の第１の実施形態に係る移動通信システムによれば、在圏無線制御局と呼制御無線制御局とが異なる場合であっても、上述のように、フェムト基地局等の多数の無線基地局を柔軟なタイミングで新規に収容することができる。
【０１０４】
また、本発明の第１の実施形態に係る移動通信システムによれば、無線基地局ＮｏｄｅＢ０１の位置情報として、移動通信システムの構成に依存しない位置コードを利用することで、位置登録エリアの変更や、無線制御局ＮｏｄｅＢや無線基地局ＲＮＣの新設や収容変更に伴う運用の煩雑性を回避することが可能になる。
【０１０５】
さらに、本発明の第１の実施形態に係る移動通信システムによれば、運用ミスによる緊急通報用通信の不通等の重大事故を回避することが可能になる。
【０１０６】
以上に述べた本実施形態の特徴は、以下のように表現されていてもよい。
【０１０７】
本実施形態の第１の特徴は、無線基地局ＮｏｄｅＢ０１が、無線制御局ＲＮＣ０１に対して、無線基地局ＮｏｄｅＢ０１の位置情報（位置コード：ｂｂｂ）を通知する工程Ａと、無線制御局ＲＮＣ０１が、無線基地局ＮｏｄｅＢ０１及び無線制御局ＲＮＣ０１を介する移動局ＵＥの通信が開始される際に、交換局ＭＳＣ/ＳＧＳＮに対して、無線基地局ＮｏｄｅＢ０１の位置情報（位置コード：ｂｂｂ）を通知する工程Ｂと、交換局ＭＳＣ/ＳＧＳＮが、無線基地局ＮｏｄｅＢ０１の位置情報（位置コード：ｂｂｂ）に基づいて、かかる通信の各々を制御する工程Ｃとを有することを要旨とする。
【０１０８】
本実施形態の第１の特徴において、工程Ａにおいて、無線基地局ＮｏｄｅＮ０１は、無線基地局ＮｏｄｅＢ０１を介する移動局ＵＥの通信が開始される際に、無線制御局ＲＮＣ０１に対して、無線基地局ＮｏｄｅＢ０１の位置情報（位置コード：ｂｂｂ）を通知してもよい。
【０１０９】
本実施形態の第１の特徴において、無線基地局ＮｏｄｅＢ０１が、移動局ＵＥの在圏無線基地局とは異なる場合に、工程Ａにおいて、無線基地局ＮｏｄｅＢ０１を介する移動局ＵＥの通信が開始される際に、かかる在圏無線基地局を収容する無線制御局が、無線基地局ＮｏｄｅＢ０１を収容する無線制御局ＲＮＣ０１に対して、無線基地局ＮｏｄｅＢ０１の位置情報（位置コード）として、かかる在圏無線基地局の位置情報（位置コード）を通知してもよい。
【０１１０】
本実施形態の第１の特徴において、位置情報は、位置登録エリアの構成、無線制御局ＲＮＣの接続構成、無線基地局ＮｏｄｅＢの接続構成及びセクタの構成を含む移動通信システムの構成に依存しない情報であってもよい。
【０１１１】
本実施形態の第１の特徴において、交換局ＭＳＣ/ＳＧＳＮは、位置情報（位置コード）と接続先（例えば、緊急機関）とを関連付けて記憶しており、工程Ｃにおいて、交換局ＭＳＣ/ＳＧＳＮは、上述の通信において、移動局ＵＥを、無線基地局の位置情報（位置コード：ｂｂｂ）に関連付けられた接続先に接続させてもよい。
【０１１２】
本実施形態の第２の特徴は、無線基地局ＮｏｄｅＢ０１であって、無線基地局ＮｏｄｅＢ０１の位置情報（位置コード：ｂｂｂ）を取得するように構成されており、無線基地局ＮｏｄｅＢを介する移動局ＵＥの通信が開始される際に、無線制御局ＲＮＣ０１に対して、無線基地局ＮｏｄｅＢ０１の位置情報（位置コード：ｂｂｂ）を通知するように構成されている信号送受信部１３とを具備することを要旨とする。
【０１１３】
本実施形態の第２の特徴において、位置情報は、位置登録エリアの構成、無線制御局ＲＮＣの構成、無線基地局ＮｏｄｅＢの接続構成及びセクタの構成を含む移動通信システムの構成に依存しない情報であってもよい。
【０１１４】
本実施形態の第３の特徴は、無線基地局ＮｏｄｅＢ０１を管理する無線制御局ＲＮＣ０１であって、無線基地局ＮｏｄｅＢ０１から、無線基地局ＮｏｄｅＢ０１を介する移動局ＵＥの通信が開始される際に、無線基地局ＮｏｄｅＢ０１の位置情報（位置コード：ｂｂｂ）を取得するように構成されており、無線基地局ＮｏｄｅＢ０１及び無線制御局ＲＮＣ０１を介する移動局ＵＥの通信が開始される際に、交換局ＭＳＣ/ＳＧＳＮに対して、無線基地局ＮｏｄｅＢ０１の位置情報（位置コード：ｂｂｂ）を通知するように構成されている信号送受信部２４とを具備することを要旨とする。
【０１１５】
本実施形態の第３の特徴において、位置情報は、位置登録エリアの構成、無線制御局ＲＮＣの構成、無線基地局ＮｏｄｅＢの接続構成及びセクタの構成を含む移動通信システムの構成に依存しない情報であってもよい。
【０１１６】
本実施形態の第４の特徴は、無線基地局ＮｏｄｅＢ０１を管理する無線制御局ＲＮＣ０１に接続されている交換局ＭＳＣ/ＳＧＳＮであって、位置情報（位置コード）と接続先とを関連付けて記憶するように構成されているメモリ３１と、無線制御局ＲＮＣ０１から、無線基地局ＮｏｄｅＢ０１と無線制御局ＲＮＣ０１と交換局ＭＳＣ/ＳＧＳＮとを介する移動局ＵＥの通信が開始される際に、無線基地局ＮｏｄｅＢ０１の位置情報（位置コード：ｂｂｂ）を取得するように構成されている信号送受信部３４と、かかる通信において、移動局ＵＥを、無線基地局ＮｏｄｅＢ０１の位置情報（位置コード：ｂｂｂ）に関連付けられた接続先（例えば、緊急機関）に接続させるように構成されている交換部３３とを具備することを要旨とする。
【０１１７】
本実施形態の第４の特徴において、位置情報は、位置登録エリアの構成、無線制御局ＲＮＣの構成、無線基地局ＮｏｄｅＢの接続構成及びセクタの構成を含む移動通信システムの構成に依存しない情報であってもよい。
【０１１８】
なお、上述の無線基地局ＮｏｄｅＢ、無線制御局ＲＮＣ、交換局ＭＳＣ/ＳＧＳＮ及び移動局ＵＥの動作は、ハードウェアによって実施されてもよいし、プロセッサによって実行されるソフトウェアモジュールによって実施されてもよいし、両者の組み合わせによって実施されてもよい。
【０１１９】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１２０】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ＮｏｄｅＢ、無線制御局ＲＮＣ、交換局ＭＳＣ/ＳＧＳＮ及び移動局ＵＥ内に設けられていてもよい。また、かかる記憶媒体及びプロセッサは、ディスクリートコンポーネントとして無線基地局ＮｏｄｅＢ、無線制御局ＲＮＣ、交換局ＭＳＣ/ＳＧＳＮ及び移動局ＵＥ内に設けられていてもよい。
【０１２１】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【０１２２】
【図１】本発明の第１の実施形態に係る移動通信システムの全体構成図である。
【図２】本発明の第１の実施形態に係る移動通信システム内の無線基地局、無線制御局及び交換局内のメモリに記憶されている内容の一例について示す図である。
【図３】本発明の第１の実施形態に係る無線基地局の機能ブロック図である。
【図４】本発明の第１の実施形態に係る無線制御局の機能ブロック図である。
【図５】本発明の第１の実施形態に係る交換局の機能ブロック図である。
【図６】本発明の第１の実施形態に係る移動通信システムの動作を示すシーケンス図である。
【図７】本発明の第１の実施形態に係る移動通信システムの動作を示すシーケンス図である。
【図８】従来の移動通信システムの全体構成図である。
【図９】従来の移動通信システム内の無線基地局、無線制御局及び交換局内のメモリに記憶されている内容の一例について示す図である。
【図１０】従来の移動通信システムの動作を示すシーケンス図である。
【符号の説明】
【０１２３】
ＮｏｄｅＢ０１、ＮｏｄｅＢ０２…無線基地局
ＲＮＣ０１…無線制御局
ＭＳＣ/ＳＧＳＮ…交換局
１１、２１、３１…メモリ
１１Ａ、２１Ｂ…位置コード・ＧＡＩ記憶領域
３１Ａ…接続先テーブル記憶領域
３１Ｂ…位置コード記憶領域
１２、２２…位置コード・ＧＡＩ制御部
１３、２４、３４…信号送受信部
１４…無線部
２３…無線制御部
３２…位置コード制御部
３３…交換部
【図１】
2010157909.tif 000003
【図２】
2010157909.tif 000004
【図３】
2010157909.tif 000005
【図４】
2010157909.tif 000006
【図５】
2010157909.tif 000007
【図６】
2010157909.tif 000008
【図７】
2010157909.tif 000009
【図８】
2010157909.tif 000010
【図９】
2010157909.tif 000011
【図１０】
2010157909.tif 000012